(57)【要約】【課題】表示装置を表示装置本体と個別装置とに分離して構成した場合の、高周波信号が入出力される接続部分でのノイズ及び損失を低減した表示装置本体、個別装置及び表示装置を提供する。【解決手段】表示部と、表示装置本体とは別体の個別装置が接続される少なくとも１つの第１の接続部と、を備え、前記第１の接続部は、複数の第１の端子を有し、前記第１の端子のそれぞれは、周波数帯域の異なる前記個別装置と接続されることを特徴とする表示装置本体が提供される。【選択図】図１
2011066532.tif 000002
【特許請求の範囲】
【請求項１】
表示部と、
表示装置本体とは別体の個別装置が接続される少なくとも１つの第１の接続部と、
を備え、
前記第１の接続部は、複数の第１の端子を有し、
前記第１の端子のそれぞれは、周波数帯域の異なる前記個別装置と接続されることを特徴とする表示装置本体。
【請求項２】
前記第１の接続部は、第２の端子をさらに有し、
前記第２の端子を介して、前記個別装置と前記表示部との間で、デジタル信号の入出力が実行されることを特徴とする請求項１記載の表示装置本体。
【請求項３】
高周波回路部と、
複数の第１の端子を有する表示装置本体に接続される第２の接続部と、
を備え、
前記第２の接続部は、前記高周波回路部に接続される第３の端子を有し、
前記第３の端子は、前記表示装置本体の周波数帯域の異なる前記第１の端子と接続されることを特徴とする個別装置。
【請求項４】
前記第２の接続部は、第４の端子をさらに有し、
前記第４の端子を介して、前記表示装置本体と前記第２の接続部との間でデジタル信号の入出力が実行されることを特徴とする請求項３記載の個別装置。
【請求項５】
請求項１または２に記載の表示装置本体と、
高周波回路部と、前記表示装置本体に接続される第２の接続部と、を有し、
前記第２の接続部は、前記高周波回路部に接続される第３の端子を有し、
前記第３の端子は、前記表示装置本体の周波数帯域の異なる前記第１の端子と接続される個別装置と、
を備えたことを特徴とする表示装置。
【請求項６】
前記第２の接続部は、前記第２の端子と接続される第４の端子をさらに有し、
前記第２及び第４の端子を介して、前記個別装置と前記表示装置本体との間で、デジタル信号の入出力が実行されることを特徴とする請求項５記載の表示装置。
【発明の詳細な説明】
【技術分野】
【０００１】
本発明は、表示装置本体、個別装置及び表示装置に関し、特に表示装置本体と個別装置とを接続する端子を有する表示装置本体、個別装置及び表示装置に関する。
【背景技術】
【０００２】
表示装置に表示する情報は、映像情報やコンピュータデータなど多様化しており、表示装置は、高機能化している。従来の車載用表示装置は、複数の機能をあらかじめ組み込んだ状態で構成されていた（例えば、特許文献１参照）。
そのため、一部のユーザにとって不要な機能も分離不可能な状態に構成され、割高なものとなっていた。また、新技術に対応した装置を追加することは不可能であり、買い換えなければならなかった。
【０００３】
そこで、発明者らは、表示装置を表示装置本体に別体の個別装置を端子で接続する構成とすることにより、選択的に機能を拡張できる表示装置を案出した。
【先行技術文献】
【特許文献】
【０００４】
【特許文献１】特開２００８−１４３５２０号公報
【発明の概要】
【発明が解決しようとする課題】
【０００５】
しかし、表示装置を表示装置本体と個別装置とに分離して構成すると、高周波信号が入出力される接続部分でノイズや損失が発生し易いという新たな問題の発生が予測される。
本発明は、表示装置を表示装置本体と個別装置とに分離して構成した場合の、高周波信号が入出力される接続部分でのノイズ及び損失を低減した表示装置本体、個別装置及び表示装置を提供する。
【課題を解決するための手段】
【０００６】
本発明の一態様によれば、表示部と、表示装置本体とは別体の個別装置が接続される少なくとも１つの第１の接続部と、を備え、前記第１の接続部は、複数の第１の端子を有し、前記第１の端子のそれぞれは、周波数帯域の異なる前記個別装置と接続されることを特徴とする表示装置本体が提供される。
【０００７】
また、本発明の他の一態様によれば、高周波回路部と、複数の第１の端子を有する表示装置本体に接続される第２の接続部と、を備え、前記第２の接続部は、前記高周波回路部に接続される第３の端子を有し、前記第３の端子は、前記表示装置本体の周波数帯域の異なる前記第１の端子と接続されることを特徴とする個別装置が提供される。
【０００８】
また、本発明の他の一態様によれば、表示装置本体と、高周波回路部と、前記表示装置本体に接続される第２の接続部と、を有し、前記第２の接続部は、前記高周波回路部に接続される第３の端子を有し、前記第３の端子は、前記表示装置本体の周波数帯域の異なる前記第１の端子と接続される個別装置と、を備えたことを特徴とする表示装置が提供される。
【発明の効果】
【０００９】
本発明によれば、表示装置を表示装置本体と個別装置とに分離して構成した場合の、高周波信号が入出力される接続部分でのノイズ及び損失を低減した表示装置本体、個別装置及び表示装置が提供される。
【図面の簡単な説明】
【００１０】
【図１】本発明の実施形態に係る表示装置本体の構成を例示するブロック図である。
【図２】表示装置本体のスイッチ部の構成を例示する回路図である。
【図３】表示装置本体の第１の接続部を例示する模式的斜視図である。
【図４】複数の高周波信号を１つの端子で接続する比較例を表すブロック図である。
【図５】表示装置本体の第１の接続部の等価回路を表す回路図である。
【図６】本発明の実施形態に係る個別装置の構成を例示するブロック図である。
【図７】本発明の実施形態に係る個別装置の構成を例示するブロック図である。
【図８】本発明の実施形態に係る個別装置の構成を例示する模式的斜視図である。
【図９】本発明の実施形態に係る表示装置本体と個別装置とを接続した表示装置の構成を例示するブロック図である。
【図１０】本発明の他の実施形態に係る表示装置本体の構成を例示するブロック図である。
【図１１】本発明の他の実施形態に係る個別装置の構成を例示するブロック図である。
【図１２】本発明の他の実施形態に係る個別装置の構成を例示するブロック図である。
【図１３】本発明の他の実施形態に係る表示装置本体と個別装置とを接続した表示装置の構成を例示するブロック図である。
【発明を実施するための形態】
【００１１】
以下、本発明の実施形態について図面を参照して詳細に説明する。
なお、本願明細書と各図において、既出の図に関して前述したものと同様の要素には同一の符号を付して詳細な説明は適宜省略する。
【００１２】
図１は、本発明の実施形態に係る表示装置本体の構成を例示するブロック図である。
図１に表したように、表示装置本体１は、表示部２と、第１の接続部３ａ〜３ｄと、高周波回路部４ａ、４ｂと、ＨＵＢ５と、スイッチ部８とを備える。
表示部２は、制御部１０を有し、第１の接続部３ａ〜３ｄからＨＵＢ５を介して信号を入力して映像情報として表示する。また、表示部２は、図示しない入力部を有し、ＨＵＢ５を介して、第１の接続部３ａ〜３ｄに信号を出力する。
【００１３】
制御部１０は、表示部２の表示、ＨＵＢ５を制御する。例えば、マイクロコンピュータ（ＭＰＵ）などで構成される。
表示部２は、制御部１０と、例えば、液晶表示ディスプレイ、タッチパネルなどで構成される。なお、表示装置本体１は、情報処理機能を有することができる。例えば制御部１０によりタッチパネルからの入力を処理し、液晶表示ディスプレイに情報を表示してもよい。
【００１４】
第１の接続部３ａ〜３ｄのそれぞれは、同一形状に構成され、個別装置に接続される。第１の接続部３ａ〜３ｄは、例えば、コネクタなどにより構成される。なお、個別装置については、図６において説明する。
【００１５】
第１の接続部３ａは、第１の端子６ａ〜６ｄ及び第２の端子７ａを有する。
第１の端子６ａ〜６ｄは、スイッチ部８を介してアンテナ１０８ａ、１０８ｂ、高周波回路部４ａ、４ｂにそれぞれ接続される。第２の端子７ａは、ＨＵＢ５を介して表示部２に接続される。
第１の端子６ａ〜６ｄは、高周波信号を入出力する端子である。また、第２の端子７ａは、デジタル信号を入出力する端子である。
【００１６】
第１の接続部３ｂは、第１の端子６ｅ〜６ｈ及び第２の端子７ｂを有する。
第１の端子６ｅ〜６ｈは、スイッチ部８を介してアンテナ１０８ａ、１０８ｂ、高周波回路部４ａ、４ｂにそれぞれ接続される。第２の端子７ｂは、ＨＵＢ５を介して表示部２に接続される。
第１の端子６ｅ〜６ｈは、高周波信号を入出力する端子である。また、第２の端子７ｂは、デジタル信号を入出力する端子である。
【００１７】
第１の接続部３ｃは、第１の端子６ｉ〜６ｌ及び第２の端子７ｃを有する。
第１の端子６ｉ〜６ｌは、スイッチ部８を介してアンテナ１０８ａ、１０８ｂ、高周波回路部４ａ、４ｂにそれぞれ接続される。第２の端子７ｃは、ＨＵＢ５を介して表示部２に接続される。
第１の端子６ｉ〜６ｌは、高周波信号を入出力する端子である。また、第２の端子７ｃは、デジタル信号を入出力する端子である。
【００１８】
第１の接続部３ｄは、第１の端子６ｍ〜６ｐ及び第２の端子７ｄを有する。
第１の端子６ｍ〜６ｐは、スイッチ部８を介してアンテナ１０８ａ、１０８ｂ、高周波回路部４ａ、４ｂにそれぞれ接続される。第２の端子７ｄは、ＨＵＢ５を介して表示部２に接続される。
第１の端子６ｍ〜６ｐは、高周波信号を入出力する端子である。また、第２の端子７ｄは、デジタル信号を入出力する端子である。
【００１９】
第１の端子６ａ、６ｅ、６ｉ及び６ｍの各端子は、個別装置が接続されたとき、個別装置の同一端子に接続される。第１の端子６ｂ、６ｆ、６ｊ及び６ｎの各端子は、個別装置が接続されたとき、個別装置の同一端子に接続される。第１の端子６ｃ、６ｇ、６ｋ及び６ｏの各端子は、個別装置が接続されたとき、個別装置の同一端子に接続される。第１の端子６ｄ、６ｈ、６ｌ及び６ｐの各端子は、個別装置が接続されたとき、個別装置の同一端子に接続される。
また、第２の端子７ａ〜７ｄは、個別装置が接続されたとき、個別装置の同一端子に接続される。
【００２０】
高周波回路部４ａは、入力端４１に入力された高周波信号、例えば映像信号をデジタル化して出力端４２に出力する。また、例えば、高周波回路部４ａは、入力端４１に入力されたＧＰＳのベースバンド信号を復調し、デジタル信号として出力端４２に出力してもよい。高周波回路部４ｂは、入力端４４に入力したデジタル信号をアナログの高周波信号、例えば映像信号として出力端４３に出力する。
【００２１】
ＨＵＢ５は、第２の端子７ａ〜７ｄと表示部２とを接続する。また、高周波回路部４ａ、４ｂを表示部２と接続する。
ＨＵＢ５は、例えば、表示部２の制御部１０のＭＰＵとＵＳＢ（Universal Serial Bus）で接続するＵＳＢ  ＨＵＢを用いることができる。なお、図１においては、ＨＵＢ５を介して第２の端子７、高周波回路部４ａ、４ｂのデジタル信号を表示部２に入出力する構成を例示しているが、ＨＵＢ５を介さず直接表示部２に入出力してもよい。
【００２２】
スイッチ部８は、第１の端子６ａ〜６ｐと、アンテナ１０８ａ、１０８ｂ、高周波回路部４ａ、４ｂとを接続する。
なお、アンテナ１０８ａ、１０８ｂは、それぞれ外部に設けられた、例えば、ＧＰＳ（Global Positioning System：全地球測位システム）信号、地上波デジタルＴＶ放送及びワンセグ放送、ＦＭ放送、ＡＭ（中波）放送などの受信用のアンテナ、またはＷｉＭＡＸ（ワイマックス：Worldwide Interoperability for Microwave Access）など無線ＬＡＮ用の送受信アンテナである。
【００２３】
図２は、表示装置本体のスイッチ部の構成を例示する回路図である。
なお、図２においては、スイッチ部８の接続関係のみ図示し、第２の端子７ａ〜７ｄの接続については、図示を省略している。
図２に表したように、スイッチ部８は、スイッチＳ１ａ〜Ｓ１ｄを有する。スイッチＳ１ａ〜Ｓ１ｄは、それぞれＳＰ４Ｔ（Single-Pole 4-Throw）スイッチである。
【００２４】
スイッチＳ１ａは、アンテナ１０８ａを第１の接続部３ａの第１の端子６ａ、第１の接続部３ｂの第１の端子６ｅ、第１の接続部３ｃの第１の端子６ｉ、第１の接続部３ｄの第１の端子６ｍのいずれか１つと接続する。
【００２５】
スイッチＳ１ｂは、アンテナ１０８ｂを第１の接続部３ａの第１の端子６ｂ、第１の接続部３ｂの第１の端子６ｆ、第１の接続部３ｃの第１の端子６ｊ、第１の接続部３ｄの第１の端子６ｎのいずれか１つと接続する。
【００２６】
スイッチＳ１ｃは、高周波回路部４ａの入力端４１を第１の接続部３ａの第１の端子６ｃ、第１の接続部３ｂの第１の端子６ｇ、第１の接続部３ｃの第１の端子６ｋ、第１の接続部３ｄの第１の端子６ｏのいずれか１つと接続する。
【００２７】
スイッチＳ１ｄは、高周波回路部４ｂの出力端４３を第１の接続部３ａの第１の端子６ｄ、第１の接続部３ｂの第１の端子６ｈ、第１の接続部３ｃの第１の端子６ｌ、第１の接続部３ｄの第１の端子６ｐのいずれか１つと接続する。
スイッチＳ１ａ〜Ｓ１ｄの接続状態は、表示部２の制御部１０により切り替えられる（図示せず）。
【００２８】
再度図１に戻ると、スイッチ部８により、アンテナ１０８ａは、第１の端子６ａ、６ｅ、６ｉ及び６ｍのいずれか１つと接続される。また、アンテナ１０８ｂは、第１の端子６ｂ、６ｆ、６ｊ及び６ｎのいずれか１つと接続される。高周波回路部４ａの入力端４１は、第１の端子６ｃ、６ｇ、６ｋ及び６ｏのいずれか１つと接続される。高周波回路部４ｂの出力端４３は、第１の端子６ｄ、６ｈ、６ｌ及び６ｐのいずれか１つと接続される。
【００２９】
従って、第１の端子６ａ、６ｅ、６ｉ及び６ｍには、同一の周波数帯域の高周波信号が伝送される。同様に、第１の端子６ｂ、６ｆ、６ｊ及び６ｎ、並びに第１の端子６ｃ、６ｇ、６ｋ及び６ｏ、並びに第１の端子６ｄ、６ｈ、６ｌ及び６ｐには、それぞれ同一の周波数帯域の高周波信号が伝送される。
なお、例えば第１の端子６ａ、６ｂ、６ｃ及び６ｅにそれぞれ伝送される高周波信号の周波数帯域は、同一でもよく、異なっていてもよい。
【００３０】
第１の接続部３ａの第１の端子６ａ〜６ｄへの配線は、それぞれ特定の周波数帯域の信号を伝送するために最適化される。例えば、ＧＰＳ信号（１５７５．４２ＭＨｚなど）、地上波デジタルＴＶ放送及びワンセグ放送（４７０ＭＨｚ〜７７０ＭＨｚ）、ＷｉＭＡＸ（２．３ＧＨｚ帯、２．５ＧＨｚ帯、３．５ＧＨｚ帯）、ＦＭ放送（７６ＭＨｚ〜９０ＭＨｚ）、中波放送（５３１ｋＨｚ〜１６０２ｋＨｚ）などの周波数帯域に最適化される。
【００３１】
同様に、第１の接続部３ｂ〜３ｄの第１の端子６ｅ〜６ｐへの配線は、それぞれ特定の周波数帯域の信号を伝送するために最適化される。
第１の端子６ａ〜６ｐを介してそれぞれ伝送される信号の周波数帯域は、特定の狭い範囲に限定されている。そのため、伝送損失、歪みなどを低減することができる。
【００３２】
なお、図１においては、アンテナ１０８ａ、１０８ｂの２本を接続する構成を例示している。しかし、第１の端子６ａ〜６ｄに接続されるアンテナは、なくてもよく、また任意数接続してもよい。さらに、例えばダイバーシティ受信用など、離間して設置された同一帯域のアンテナを複数接続してもよい。
【００３３】
また、図１においては、表示装置本体１が第１の接続部３ａ〜３ｄを４つ有する場合を例示している。しかし、第１の接続部３ａは、１つでもよく任意数有することができる。なお、第１の接続部３ａが１つの場合は、スイッチ部８は、アンテナ１０８ａを第１の端子６ａに、アンテナ１０８ｂを第１の端子６ｂに、高周波回路部４ａの入力端４１を第１の端子６ｃに、高周波回路部４ｂの出力端４３を第１の端子６ｄに、それぞれ接続する。スイッチ部８は、配線と等価になる。
【００３４】
また、図１においては、第１の接続部３ａは、第１の端子６ａ〜６ｄの４つを有する場合を例示している。しかし、第１の端子数は、２以上の任意数とすることができる。
第２の端子数も任意数が可能である。なお、図１においては、第２の端子７ａ〜７ｄを有する構成を例示しているが、図１０において説明するように、第２の端子のない構成も可能である。
【００３５】
図３は、表示装置本体の第１の接続部を例示する模式的斜視図である。
図３においては、図１に表した表示装置本体１の第１の接続部３ａの構成例を模式的に表している。表示装置本体１の他の第１の接続部３ｂ〜３ｄも、図３に表した第１の接続部３ａと同一形状に構成される。
【００３６】
図３に表したように、第１の接続部３ａは、側板３１と底板３２とを有する。側板３１には、第１の端子６ａ〜６ｄが設けられている。また、底板３２には、第２の端子７ａが設けられている。このように、第１の端子６ａ〜６ｄと第２の端子７ａとを、異なる面上に離間して配置することにより、デジタル信号と高周波信号との干渉を低減することができる。
第１の端子６ａ〜６ｄを介してそれぞれ伝送される信号の周波数帯域は、特定の狭い範囲に限定されている。そのため、伝送損失、歪みなどを低減することができる。
【００３７】
なお、図３においては、第１の端子６ａ〜６ｄと第２の端子７ａとは、互いに直交する異なる面上に設けられいるが、同一面上に離間して設けられてもよい。例えば、底板３２に第１及び第２の端子６ａ〜６ｄ、７ａを設け、側板３１のない構成も可能である。また、側板３１に第１及び第２の端子６ａ〜６ｄ、７ａを設け、底板３２のない構成も可能である。
また、第１及び第２の端子６ａ〜６ｄ、７ａが、側板３１と底板３２との両者にそれぞれ設けられてもよい。さらに、側板３１及び底板３２と直交する側板上に第１の端子６ａ〜６ｄが設けられてもよい。
【００３８】
図４は、複数の高周波信号を１つの端子で接続する比較例を表すブロック図である。
図４に表したように、比較例は、４つの接続部１０３ａ〜１０３ｄを備え、接続部１０３ａ〜１０３ｄは、それぞれ１つの端子１０６ａ〜１０６ｄを有する。そして各端子１０６ａ〜１０６ｄと、アンテナ１０８ａ、１０８ｂ、高周波回路部４ａ、４ｂとが接続される。
なお、端子１０６ａ〜１０６ｄは、高周波用の端子である。また、端子１０７ａ〜１０７ｄはデジタル用の端子であり、図２に表した第２の端子７ａ〜７ｄと同様である。
【００３９】
アンテナ１０８ａ、１０８ｂ、高周波回路部４ａ、４ｂのいずれか１つと、端子１０６ａ〜１０６ｄのいずれか１つとを接続するためには、スイッチＳ１ａ〜Ｓ１ｄ、Ｓ２ａ〜Ｓ２ｄの２段構成が必要となる。すなわち、図２に表したスイッチ部８にさらにスイッチＳ２ａ〜Ｓ２ｄを追加した構成となる。
【００４０】
また、接続部１０３ａ〜１０３ｄには、それぞれ１つの端子１０６ａ〜１０６ｄしかない。そのため、例えば接続部１０３ａに個別装置などが接続されても、端子１０６ａに、アンテナ１０８ａ、１０８ｂ、高周波回路部４ａ、４ｂのいずれを接続すべきか制御部１０と個別装置間で通信などを行って判断する必要がある。
【００４１】
また、端子１０６ａ〜１０６ｄのそれぞれには、アンテナ１０８ａ、１０８ｂ、高周波回路部４ａ、４ｂのすべての信号が伝送される。スイッチＳ２ａと端子１０６ａ間では、アンテナ１０８ａ、１０８ｂ、高周波回路部４ａ、４ｂのすべての周波数帯域の信号が伝送される。スイッチＳ２ｂと端子１０６ｂ間、スイッチＳ２ｃと端子１０６ｃ間、スイッチＳ２ｄと端子１０６ｄ間についても、同様である。
【００４２】
このように１つの端子で伝送される高周波信号の周波数帯域が広くなると、伝送損失、歪みなどが増加する。
高周波信号の波長λに対して回路の線路長がλ／４程度以上の場合、高周波回路は分布定数回路でモデル化される。
【００４３】
図５は、表示装置本体の第１の接続部の等価回路を表す回路図である。
図５においては、第１の接続部３ａの第１の端子６ａとスイッチ部８間の伝送線路を分布定数で表している。
図５に表したように、伝送線路は、単位長さあたりの抵抗Ｒ、インダクタンスＬ、伝送線路と接地間の単位長さあたりの静電容量Ｃ、コンダクタンスＧでモデル化される。
【００４４】
単位長さあたりの抵抗Ｒ、インダクタンスＬは、それぞれ長さ方向に導通を前提とした小さい抵抗成分、インダクタンス成分である。また、伝送線路と接地間の単位長さあたりのコンダクタンスＧは、絶縁を前提とした大きい抵抗成分である。
第１の端子６ａに、角周波数ωの正弦波を印加した場合、第１の端子６ａから距離ｘにおける伝送線路の電圧Ｖ（ｘ）、電流Ｉ（ｘ）は、（１）式で表される。
【００４５】
【数１】
2011066532.tif 000003
ここで、Ｋ１、Ｋ２は境界条件で決まる定数である。また、γは伝播定数、Ｚ０は特性インピーダンスであり、（２）式で表される。
【００４６】
【数２】
2011066532.tif 000004
ここで、αは減衰定数、βは位相定数である。
【００４７】
単位長さあたりの抵抗Ｒ、コンダクタンスＧが小さいほど伝送線路の伝送損失は小さくなり、Ｒ＝Ｇ＝０のとき無損失となる。
また、ＲＣ＝ＬＧのとき、伝播定数γ、特性インピーダンスＺ０が角周波数ωに依存しない、無歪み線路となる。
また、第１の端子６ａから距離ｘの点で、特性インピーダンスＺｘで終端した場合の、距離ｘにおける電圧の反射係数ρ（ｘ）は、（３）式で表される。
【００４８】
【数３】
2011066532.tif 000005
ただし、Ｖｉは、距離ｘにおける入射波、Ｖｒは反射波である。
【００４９】
（３）式より、特性インピーダンスＺ０で終端したとき、すなわちＺｘ＝Ｚ０のとき、反射係数ρ（ｘ）＝０となる。
従って、第１の接続部には、単位長さあたりの抵抗Ｒ、インダクタンスＬ、伝送線路と接地間の単位長さあたりの静電容量Ｃ、コンダクタンスＧを小さくすることが求められる。また、第１の端子とスイッチ部８とを接続する伝送線路の特性インピーダンスと、スイッチ部８の入力インピーダンスとの整合をとる必要がある。
【００５０】
ここで、再度図４に戻ると、１つの端子で複数の高周波信号を接続する比較例においては、スイッチが２段構成となる。すなわち、スイッチによる伝送損失が増加し、整合をとる必要がある接続点が増加する。また、１つの端子に全ての高周波信号を伝送するため、広い周波数帯域で無歪みの状態に近づける必要もある。
【００５１】
これに対して、表示装置本体１においては、図２に表したようにスイッチは１段である。すなわち、スイッチによる伝送損失が減少し、整合をとる必要のある接続点が減少する。また、狭い特定の周波数帯域で無歪みの状態に近づければよい。
さらに、第１の端子は、特定の周波数帯域ごとにある。そのため、第１の接続部の第１の端子に個別装置が接続されたことを検知して、スイッチ部８の接続状態を切り替えることができる。
【００５２】
次に、表示装置本体１に接続される個別装置について説明する。
図６〜図７は、本発明の実施形態に係る個別装置の構成を例示するブロック図である。
図６（ａ）、図６（ｂ）、図７（ａ）、図７（ｂ）は、それぞれ周波数帯域の異なる高周波信号を処理する個別装置１１ａ〜１１ｄを表している。
図６（ａ）に表したように、個別装置１１ａは、制御部１２、第２の接続部１３ａ、高周波回路部１４ａを備える。
【００５３】
制御部１２は、第２の接続部１３ａの第４の端子１７を介して表示装置本体１との間でデジタル信号を入出力する。また、制御部１２は、高周波回路部１４ａともデジタル信号を入出力し、高周波回路部１４ａを制御する。例えば、マイクロコンピュータ（ＭＰＵ）、論理回路などで構成される。
【００５４】
第２の接続部１３ａは、それぞれ第３の端子１６ａ及び第４の端子１７を有し、図１に表した表示装置本体１に接続される。
第３の端子１６ａは、高周波信号を入出力する端子である。
表示装置本体１が接続されたとき、第３の端子１６ａには、外部に設けられたアンテナ１０８ａが接続される。アンテナ１０８ａは、例えば、ＦＭ放送受信用のＶＨＦ帯、またはＴＶ放送受信用のＵＨＦ、ＶＨＦ帯のアンテナや、無線ＬＡＮ用のアンテナである。
【００５５】
第３の端子１６ａへの配線は、特定の周波数帯域の信号を伝送するために最適化される。例えば、地上波デジタルＴＶ放送及びワンセグ放送（４７０ＭＨｚ〜７７０ＭＨｚ）などの周波数帯域に最適化されている。
第１の端子１６ａを介して伝送される信号の周波数帯域は、特定の狭い範囲に限定されている。そのため、伝送損失、歪みなどを低減することができる。
【００５６】
第４の端子１７は、デジタル信号を入出力する端子である。第４の端子数は任意数が可能である。第４の端子１７を介して制御部１２及び高周波回路部１４ａと、表示装置本体１との間で、デジタル信号が入出力される。なお、図６（ａ）においては、第４の端子１７を有する構成を例示しているが、図１１において説明するように、第４の端子のない構成も可能である。
【００５７】
高周波回路部１４ａは、第３の端子１６ａから入力した高周波信号をデジタル化して第４の端子１７に出力する。また、高周波回路部１４ａは、制御部１２との間でデジタル信号を入出力する。
【００５８】
例えば、個別装置１１ａは、表示装置本体１にデジタルＴＶ放送受信機能を提供することができる。この場合、高周波回路部１４ａは、第３の端子１６ａからデジタルＴＶ放送信号を入力して、復調データとしてデジタル信号を第４の端子１７に出力する。
高周波回路部１４ａは、制御部１２により制御される。なお、高周波回路部１４ａは、表示装置本体１の表示部２により制御される構成も可能であり、制御部１２はなくてもよい。
【００５９】
このように個別装置１１ａは、第３の端子１６ａに直接接続される高周波回路部１４ａを備える。
また、個別装置１１ａは、必要な高周波信号を処理するために、表示装置本体１の第１の端子と選択的に接続される第３の端子１６ａを有する。
【００６０】
図６（ｂ）に表したように、個別装置１１ｂは、制御部１２、第２の接続部１３ｂ、高周波回路部１４ｂを備える。個別装置１１ｂは、図６（ａ）に表した個別装置１１ａの第２の接続部１３ａ、高周波回路部１４ａを、それぞれ第２の接続部１３ｂ、高周波回路部１４ｂに置き換えた構成である。
【００６１】
第２の接続部１３ｂは、それぞれ第３の端子１６ｂ及び第４の端子１７を有し、図１に表した表示装置本体１に接続される。すなわち、第２の接続部１３ｂは、第２の接続部１３ａの第３の端子１６ａを第３の端子１６ｂに置き換えた構成である。
【００６２】
第３の端子１６ｂは、高周波信号を入出力する端子である。
第３の端子１６ｂには、表示装置本体１が接続されたとき、外部に設けられたアンテナ１０８ｂが接続される。アンテナ１０８ｂは、例えば、無線ＬＡＮ用のアンテナである。
【００６３】
第３の端子１６ｂへの配線は、特定の周波数帯域の信号を伝送するために最適化される。例えば、無線ＬＡＮ用の周波数帯域に最適化されている。
第３の端子１６ｂを介して伝送する信号の周波数帯域は、特定の狭い範囲に限定されている。そのため、伝送損失、歪みなどを低減することができる。
【００６４】
高周波回路部１４ｂは、第３の端子１６ｂから入力した高周波信号をデジタル信号に変換して第４の端子１７に出力する。また、高周波回路１４ｂは、第４の端子１７から入力したデジタル信号を高周波信号に変換して第３の端子１６ｂに出力する。高周波回路部１４ｂは、制御部１２との間でデジタル信号を入出力する。
【００６５】
例えば、個別装置１１ｂは、表示装置本体に接続されたアンテナ１０８ｂを用いて無線ＬＡＮ機能を提供することができる。この場合、高周波回路部１４ｂは、第３の端子１６ｂから高周波信号として無線ＬＡＮ信号を入力して、復号データとしてデジタル信号を第４の端子１７に出力する。また、第４の端子１７に入力されたデジタル信号を高周波信号に変換して第３の端子１６ｂから出力する。高周波回路部１４ｂは、制御部１２により制御される。なお、高周波回路部１４ｂは、表示装置本体１の表示部２により制御される構成も可能であり、制御部１２はなくてもよい。
【００６６】
このように個別装置１１ｂは、第３の端子１６ｂに直接接続される高周波回路部１４ｂを備える。
また、個別装置１１ｂは、必要な高周波信号を処理するために、表示装置本体１の第１の端子と選択的に接続される第３の端子１６ｃを有する。
【００６７】
図７（ａ）に表したように、個別装置１１ｃは、制御部１２、第２の接続部１３ｃ、高周波回路部１４ｃ、アンテナ１８ａを備える。個別装置１１ｃは、図６（ａ）に表した個別装置１１ａの第２の接続部１３ａ、高周波回路部１４ａを、それぞれ第２の接続部１３ｃ、高周波回路部１４ｃに置き換え、アンテナ１８ａを追加した構成である。
【００６８】
第２の接続部１３ｃは、それぞれ第３の端子１６ｃ及び第４の端子１７を有し、図１に表した表示装置本体１に接続される。すなわち、第２の接続部１３ｃは、第２の接続部１３ａの第３の端子１６ａを第３の端子１６ｃに置き換えた構成である。
【００６９】
第３の端子１６ｃは、高周波信号を出力する端子である。
第３の端子１６ｃには、表示装置本体１が接続されたとき、表示装置本体１の高周波回路部４ａが接続される。高周波回路部４ａには、例えば、映像信号が入力される。
【００７０】
第３の端子１６ｃへの配線は、特定の周波数帯域の信号を伝送するために最適化される。例えば、映像信号の周波数帯域に最適化されている。
第３の端子１６ｃを介して伝送する信号の周波数帯域は、特定の狭い範囲に限定されている。そのため、伝送損失、歪みなどを低減することができる。
【００７１】
高周波回路部１４ｃは、アンテナ１８ａから入力した電波を受信して映像信号に変換して第３の端子１６ｃに出力する。また、高周波回路部１４ｃは、制御部１２との間でデジタル信号を入出力する。例えば、新たに開発された方式によりエンコードされた画像データなどをデコードし、映像信号に変換して出力することにより、表示装置本体１で画像データを表示できる。表示装置本体１がデコードできない場合などに対応することができる。なお、デコードされたデータは、デジタル信号として第４の端子１７に出力することもできる。
【００７２】
また、例えば、個別装置１１ｃは、ＧＰＳ機能を提供することもできる。この場合、高周波回路部１４ｃは、アンテナ１８ａからＧＰＳ信号を受信し、第３の端子１６ｃからベースバンド信号として表示装置本体１に出力することができる。また、アンテナ１８ａからＧＰＳ信号を受信し、制御部１２でデコードしたデジタル信号を第４の端子１７から出力することもできる。
【００７３】
このように個別装置１１ｃは、第３の端子１６ｃに直接接続される高周波回路部１４ｃを備える。
また、個別装置１１ｃは、必要な高周波信号を処理するために、表示装置本体１の第１の端子と選択的に接続される第３の端子１６ｃを有する。
【００７４】
また、個別装置は、複数の高周波回路部を備えることができる。
図７（ｂ）に表したように、個別装置１１ｄは、制御部１２、第２の接続部１３ｄ、高周波回路部１４ａ、１４ｂを備える。個別装置１１ｄは、図６（ａ）に表した個別装置１１ａの第２の接続部１３ａを第２の接続部１３ｄに置き換え、さらに高周波回路部１４ｂを追加した構成である。
【００７５】
第２の接続部１３ｄは、第３の端子１６ａ、１６ｂ及び第４の端子１７を有し、図１に表した表示装置本体１に接続される。すなわち、第２の接続部１３ｄは、第２の接続部１３ａに第３の端子１６ｂを追加した構成である。
【００７６】
第３の端子１６ａ、１６ｂは、それぞれ高周波信号を入出力する端子である。
第３の端子１６ａ、１６ｂには、表示装置本体１が接続されたとき、外部に設けられたアンテナ１０８ａ、１０８ｂが、それぞれ接続される。アンテナ１０８ａ、１０８ｂは、例えば、ＴＶ放送受信用のアンテナ、無線ＬＡＮ用のアンテナである。
【００７７】
第３の端子１６ａ、１６ｂへの配線は、それぞれ特定の周波数帯域の信号を伝送するために最適化される。例えば、ＴＶ放送受信用と無線ＬＡＮ用の周波数帯域とに最適化されている。
第３の端子１６ａ、１６ｂを介して伝送する信号の周波数帯域は、特定の狭い範囲に限定されている。そのため、伝送損失、歪みなどを低減することができる。
【００７８】
高周波回路部１４ａ、１４ｂは、第３の端子１６ａ、１６ｂから入力した高周波信号をそれぞれデジタル信号に変換して第４の端子１７に出力する。また、高周波回路１４ｂは、第４の端子１７から入力したデジタル信号を高周波信号に変換して第３の端子１６ｂに出力する。また、高周波回路部１４ａ、１４ｂは、制御部１２との間でデジタル信号を入出力する。
【００７９】
例えば、高周波回路部１４ａは、第３の端子１６ａからデジタルＴＶ放送信号を入力して、復調データとしてデジタル信号を第４の端子１７に出力する。また、個別装置１１ｂが無線ＬＡＮ機能を提供する場合、高周波回路部１４ｂは、第３の端子１６ｂから高周波信号として無線ＬＡＮ信号を入力して、復号データとしてデジタル信号を第４の端子１７に出力する。また、第４の端子１７に入力されたデジタル信号を高周波信号に変換して第３の端子１６ｂから出力する。
【００８０】
高周波回路部１４ａ、１４ｂは、制御部１２により制御される。なお、高周波回路部１４ａ、１４ｂは、表示装置本体１の表示部２により制御される構成も可能であり、制御部１２はなくてもよい。
【００８１】
このように個別装置１１ｄは、第３の端子１６ａ、１６ｂにそれぞれ直接接続される複数の高周波回路部１４ａ、１４ｂを備えることができる。
また、個別装置１１ｄは、必要な高周波信号を処理するために、表示装置本体１の第１の端子と選択的に接続される第３の端子１６ａ、１６ｂを有する。
【００８２】
図８は、本発明の実施形態に係る個別装置の構成を例示する模式的斜視図である。
図８（ａ）においては、図６（ａ）に表した個別装置１１ａの構成例を模式的に表している。図８（ｂ）においては、図８（ｂ）に表した個別装置１１ｄの構成例を、模式的に表している。他の個別装置１１ｂ、１１ｃについても、同様に構成される。
【００８３】
図８（ａ）に表したように、個別装置１１ａは、略直方体に形成される。第２の接続部１３ａは、１つの側部３３ａと底部３４とを有し、表示装置本体１に接続される。側部３３ａには、第３の端子１６ａが設けられている。また、底部３４には、第４の端子１７が設けられている。このように、第３の端子１６ａと第４の端子１７とを、異なる面上に離間して配置することにより、デジタル信号と高周波信号との干渉を低減することができる。
【００８４】
また、高周波回路部１４ａは、第３の端子１６ａと近い位置に配置される。そのため、回路構成が単純になり、回路設計の負担と電送損失が低減される。
【００８５】
なお、図８（ａ）においては、第３の端子１６ａと第４の端子１７とは、互いに直交する異なる面上に設けられいるが、同一面上に離間して設けられてもよい。例えば、底部３４に第３及び第４の端子を設ける構成も可能である。また、側部３３ａに第３及び第４の端子を設け、底部３４に第４の端子のない構成も可能である。
また、第３及び第４の端子を側部３３ａと底部３４とにそれぞれ設けてもよい。さらに、側部３３ａ及び底部３４と直交する側部上に第３の端子を設けてもよい。
【００８６】
図８（ｂ）に表したように、個別装置１１ｄは、図８（ａ）に表した個別装置１１ａに第３の端子１６ｂを追加した構成である。すなわち、個別装置１１ｄは、略直方体に形成される。第２の接続部１３ｄは、１つの側部３３ｄと底部３４とを有し、表示装置本体１に接続される。側部３３ｄには、２つの第３の端子１６ａ、１６ｄが設けられている。また、底部３４には、第４の端子１７が設けられている。このように、第３の端子１６ａ、１６ｂと第４の端子１７とを、異なる面上に離間して配置することにより、デジタル信号と高周波信号との干渉を低減することができる。
【００８７】
また、高周波回路部１４ａ、１４ｂは、それぞれ第３の端子１６ａ、１６ｂと近い位置に配置される。そのため、回路構成が単純になり、回路設計の負担と伝送損失が低減される。
【００８８】
なお、図８（ｂ）においては、第３の端子１６ａ、１６ｂと第４の端子１７とは、互いに直交する面上に設けられているが、同一面上に離間して設けられてもよい。例えば、底部３４に第３及び第４の端子を設ける構成も可能である。また、側部３３ｄに第３及び第４の端子を設け、底部３４に第４の端子のない構成も可能である。
また、第３及び第４の端子を側部３３ｄと底部３４とにそれぞれ設けてもよい。さらに、側部３３ｄ及び底部３４と直交する側部上に第３の端子を設けてもよい。
【００８９】
図９は、本発明の実施形態に係る表示装置本体と個別装置とを接続した表示装置の構成を例示するブロック図である。
図９においては、図１に表した表示装置本体１と、図６（ａ）に表した個別装置１１ａとを接続した表示装置２０ａの構成を表している。
【００９０】
図９に表したように、表示装置本体１の第１の接続部３ａに、個別装置１１ａの第２の接続部１３ａが接続される。第１の端子６ａと第３の端子１６ａとが接続され、第２の端子７ａと第４の端子１７とが接続される。
個別装置１１ａにおいて使用されない第１の端子６ｂ〜６ｄは、開放されたままである。
【００９１】
個別装置１１ａの高周波回路部１４ａは、第１及び第３の端子６ａ、１６ａ、スイッチ部８を介してアンテナ１０８ａと接続される。高周波回路部１４ａには、アンテナ１０８ａで受信した高周波信号が入出力される。例えば、ＧＰＳ信号（１５７５．４２ＭＨｚなど）、地上波デジタルＴＶ放送及びワンセグ放送（４７０ＭＨｚ〜７７０ＭＨｚ）、ＷｉＭＡＸ（２．３ＧＨｚ帯、２．５ＧＨｚ帯、３．５ＧＨｚ帯）、ＦＭ放送（７６ＭＨｚ〜９０ＭＨｚ）、中波放送（５３１ｋＨｚ〜１６０２ｋＨｚ）などの信号が入出力される。
【００９２】
入力された高周波信号は、高周波回路部１４ａで処理されデジタル信号として、第２及び第４の端子７ａ、１７、ＨＵＢ５を介して表示部２に出力される。
また、表示部２から出力されたデジタル信号は、ＨＵＢ５、第２及び第４の端子７ａ、１７を介して、高周波回路部１４ａに入力され、高周波回路部１４ａを制御する。
【００９３】
このように、表示装置２０ａにおいては、アンテナ１０８ａと高周波回路部１４ａとは、第１及び第３の端子６ａ、１６ａを介して高周波信号を入出力する。
第１の端子６ａ〜６ｄへの配線は、それぞれ特定の周波数帯域の信号を伝送するために最適化される。
また、第３の端子１６ａへの配線は、第１の端子６ａと同一の周波数帯域の信号を伝送するために最適化される。
【００９４】
また、上記のとおり、表示装置本体１においては、個別装置１１ａが接続されたときに、第１の端子６ａが第３の端子１６ａと接続されたことを検知することができる。これにより、スイッチ部８の接続状態を切り替えることができる。
個別装置１１ａは、用途に合わせて必要な高周波信号を選択的に使用することができる。また、個別装置１１ａは、必要な第３の端子だけを用意すればよい。
例えば接続用コネクタと内部基板上の通信モジュールを近い位置に配置すると回路構成が単純になり、回路設計の負担と伝送ロスが低減される。
【００９５】
図１０は、本発明の他の実施形態に係る表示装置本体の構成を例示するブロック図である。
図１０に表したように、表示装置本体１ａは、表示部２と、第１の接続部３ｅ〜３ｈと、高周波回路部４ａ、４ｂと、ＨＵＢ５と、スイッチ部８と、無線ＬＡＮ部９とを備える
。すなわち、表示装置本体１ａは、図１に表した表示装置本体１の第１の接続部３ａ〜３ｄを第１の接続部３ｅ〜３ｈに置き換え、さらに無線ＬＡＮ部９を追加した構成である。
【００９６】
無線ＬＡＮ部９は、ＨＵＢ５に接続され、ＨＵＢ５を介して表示部２との間でデジタル信号を入出力する。また、無線ＬＡＮ部９は、アンテナ１０８ｃに接続され、アンテナ１０８ｃを介して、無線ＬＡＮ信号を送受信する。
表示部２は、無線ＬＡＮ機能を有する個別装置との間で、無線ＬＡＮ部９を介してデジタル信号を入出力できる。
【００９７】
第１の接続部３ｅ〜３ｈのそれぞれは、同一形状に構成され、個別装置に接続される。第１の接続部３ｅ〜３ｈは、例えば、コネクタなどにより構成される。
第１の接続部３ｅは、第１の端子６ａ〜６ｄを有する。すなわち、第１の接続部３ｅは、第２の端子７ａを有しない点が、図１に表した第１の接続部３ａと異なる。
【００９８】
無線ＬＡＮ部９を介して、表示装置本体１ａと個別装置との間でデジタル信号の入出力が可能なため、第１の接続部３ｅはデジタル信号用の第２の端子を有しなくてもよい。
同様に、第１の接続部３ｆは、第１の端子６ｅ〜６ｈを有する。第１の接続部３ｇは、第１の端子６ｉ〜６ｌを有する。第１の接続部３ｈは、第１の端子６ｍ〜６ｐを有する。
第１の接続部３ｆ〜３ｈは、第２の端子を有しない。
【００９９】
第１の端子６ａ〜６ｐについては、図１に表した表示装置本体１と同様であり、高周波信号を入出力する端子である。
表示装置本体１ａにおいては、第１の接続部３ｅ〜３ｈにはデジタル信号が通過しないため、ノイズを低減することができる。
【０１００】
次に、表示装置本体１ａに接続される個別装置について説明する。
図１１〜図１２は、本発明の他の実施形態に係る個別装置の構成を例示するブロック図である。
図１１（ａ）、図１１（ｂ）、図１２（ａ）、図１２（ｂ）においては、それぞれ周波数帯域の異なる高周波信号を処理する個別装置１１ｅ〜１１ｈを表している。
図１１（ａ）に表したように、個別装置１１ｅは、制御部１２、第２の接続部１３ｅ、高周波回路部１４ａ、アンテナ１８ｃ及び無線ＬＡＮ部１９を備える。
【０１０１】
すなわち、個別装置１１ｅは、図６（ａ）に表した個別装置１１ａの第２の接続部１３ａを第２の接続部１３ｅに置き換え、さらにアンテナ１８ｃ及び無線ＬＡＮ部１９を追加した構成である。
【０１０２】
無線ＬＡＮ部１９は、制御部１２に接続され、制御部１２との間でデジタル信号を入出力する。また、無線ＬＡＮ部１９は、アンテナ１８ｃに接続され、アンテナ１８ｃを介して、無線ＬＡＮ信号を送受信する。
制御部１２は、無線ＬＡＮ機能を有する表示装置本体１ａとの間で、無線ＬＡＮ部１９を介してデジタル信号を入出力することができる。
【０１０３】
第２の接続部１３ｅは、第３の端子１６ａを有し、図１０に表した表示装置本体１ａに接続される。すなわち、第２の接続部１３ｅは、第４の端子１７を有しない点が、図６（ａ）に表した第２の接続部１３ａと異なる。
【０１０４】
無線ＬＡＮ部１９を介して、表示装置本体１ａと個別装置１１ｅとの間でデジタル信号の入出力が可能なため、第２の接続部１３ｅはデジタル信号用の第４の端子を有しなくてもよい。
第３の端子６ａについては、図６（ａ）に表した個別装置１１ａと同様であり、高周波信号を入出力する端子である。
個別装置１１ｅにおいては、第２の接続部１３ｅにはデジタル信号が伝送されないため、ノイズを低減することができる。
【０１０５】
図１１（ｂ）に表したように、個別装置１１ｆは、制御部１２、第２の接続部１３ｆ、高周波回路部１４ｂ、アンテナ１８ｃ及び無線ＬＡＮ部１９を備える。
すなわち、個別装置１１ｆは、図６（ｂ）に表した個別装置１１ｂの第２の接続部１３ｂを第２の接続部１３ｆに置き換え、さらにアンテナ１８ｃ及び無線ＬＡＮ部１９を追加した構成である。
【０１０６】
アンテナ１８ｃ及び無線ＬＡＮ部１９については、図１１（ａ）に表した個別装置１１ｅと同様である。制御部１２は、無線ＬＡＮ機能を有する表示装置本体１ａとの間で、無線ＬＡＮ部１９を介してデジタル信号を入出力することができる。
【０１０７】
第２の接続部１３ｆは、第３の端子１６ｂを有し、図１０に表した表示装置本体１ａに接続される。すなわち、第２の接続部１３ｆは、第４の端子１７を有しない点が、図６（ｂ）に表した第２の接続部１３ｂと異なる。
【０１０８】
無線ＬＡＮ部１９を介して、表示装置本体１ａと個別装置１１ｆとの間でデジタル信号の入出力が可能なため、第２の接続部１３ｆはデジタル信号用の第４の端子を有しなくてもよい。
第３の端子６ｂについては、図６（ｂ）に表した個別装置１１ｂと同様であり、高周波信号を入出力する端子である。
個別装置１１ｆにおいては、第２の接続部１３ｆにはデジタル信号が伝送されないため、ノイズを低減することができる。
【０１０９】
図１２（ａ）に表したように、個別装置１１ｇは、制御部１２、第２の接続部１３ｆ、高周波回路部１４ｃ、アンテナ１８ａ、１８ｃ及び無線ＬＡＮ部１９を備える。
すなわち、個別装置１１ｇは、図７（ａ）に表した個別装置１１ｃの第２の接続部１３ｃを第２の接続部１３ｇに置き換え、さらにアンテナ１８ｃ及び無線ＬＡＮ部１９を追加した構成である。
【０１１０】
アンテナ１８ｃ及び無線ＬＡＮ部１９については、図１１（ａ）に表した個別装置１１ｅと同様である。制御部１２は、無線ＬＡＮ機能を有する表示装置本体１ａとの間で、無線ＬＡＮ部１９を介してデジタル信号を入出力することができる。
【０１１１】
第２の接続部１３ｇは、第３の端子１６ｃを有し、図１０に表した表示装置本体１ａに接続される。すなわち、第２の接続部１３ｇは、第４の端子１７を有しない点が、図７（ａ）に表した第２の接続部１３ｃと異なる。
【０１１２】
無線ＬＡＮ部１９を介して、表示装置本体１ａと個別装置１１ｇとの間でデジタル信号の入出力が可能なため、第２の接続部１３ｇはデジタル信号用の第４の端子を有しなくてもよい。
第３の端子６ｃについては、図７（ａ）に表した個別装置１１ｃと同様であり、高周波信号を入出力する端子である。
個別装置１１ｇにおいては、第２の接続部１３ｇにはデジタル信号が伝送されないため、ノイズを低減することができる。
【０１１３】
図１２（ｂ）に表したように、個別装置１１ｈは、制御部１２、第２の接続部１３ｈ、高周波回路部１４ａ、１４ｂ、アンテナ１８ｃ及び無線ＬＡＮ部１９を備える。
すなわち、個別装置１１ｈは、図７（ｂ）に表した個別装置１１ｄの第２の接続部１３ｄを第２の接続部１３ｈに置き換え、さらにアンテナ１８ｃ及び無線ＬＡＮ部１９を追加した構成である。
【０１１４】
アンテナ１８ｃ及び無線ＬＡＮ部１９については、図１１（ａ）に表した個別装置１１ｅと同様である。制御部１２は、無線ＬＡＮ機能を有する表示装置本体１ａとの間で、無線ＬＡＮ部１９を介してデジタル信号を入出力することができる。
【０１１５】
第２の接続部１３ｈは、第３の端子１６ａ、１６ｂを有し、図１０に表した表示装置本体１ａに接続される。すなわち、第２の接続部１３ｈは、第４の端子１７を有しない点が、図７（ｂ）に表した第２の接続部１３ｄと異なる。
【０１１６】
無線ＬＡＮ部１９を介して、表示装置本体１ａと個別装置１１ｈとの間でデジタル信号の入出力が可能なため、第２の接続部１３ｈはデジタル信号用の第４の端子を有しなくてもよい。
第３の端子６ａ、１６ｂについては、図７（ｂ）に表した個別装置１１ｄと同様であり、高周波信号を入出力する端子である。
個別装置１１ｇにおいては、第２の接続部１３ｇにはデジタル信号が伝送されないため、ノイズを低減することができる。
【０１１７】
図１３は、本発明の他の実施形態に係る表示装置本体と個別装置とを接続した表示装置の構成を例示するブロック図である。
図１３においては、図１０に表した表示装置本体１ａと、図１１（ａ）に表した個別装置１１ｅとを接続した表示装置２０ｅの構成を表している。
【０１１８】
図１３に表したように、表示装置本体１ａの第１の接続部３ｅに、個別装置１１ｅの第２の接続部１３ｅが接続される。第１の端子６ａと第３の端子１６ａとが接続される。
個別装置１１ｅが使用しない第１の端子６ｂ〜６ｄは、開放されたままである。
【０１１９】
個別装置１１ｅの高周波回路部１４ａは、第１及び第３の端子６ａ、１６ａを介してアンテナ１０８ａと接続される。高周波回路部１４ａには、アンテナ１０８ａで受信した高周波信号が入出力される。例えば、ＧＰＳ信号（１５７５．４２ＭＨｚなど）、地上波デジタルＴＶ放送及びワンセグ放送（４７０ＭＨｚ〜７７０ＭＨｚ）、ＷｉＭＡＸ（２．３ＧＨｚ帯、２．５ＧＨｚ帯、３．５ＧＨｚ帯）、ＦＭ放送（７６ＭＨｚ〜９０ＭＨｚ）、中波放送（５３１ｋＨｚ〜１６０２ｋＨｚ）などの信号が入出力される。
【０１２０】
入力された高周波信号は、高周波回路部１４ａで処理されデジタル信号として、無線ＬＡＮ９、１９、アンテナ１８ｃ、１０８ｃ、ＨＵＢ５を介して表示部２に出力される。
また、表示部２の制御部１０から出力されたデジタル信号は、ＨＵＢ５、無線ＬＡＮ９、１９、アンテナ１８ｃ、１０８ｃを介して、高周波回路部１４ａに入力され、高周波回路部１４ａを制御する。
【０１２１】
このように、表示装置２０ｅにおいては、アンテナ１０８ａと高周波回路部１４ａとは、第１及び第３の端子６ａ、１６ａを介して高周波信号を入出力する。
第１の端子６ａ〜６ｄへの配線は、それぞれ特定の周波数帯域の信号を伝送するために最適化される。
また、第３の端子１６ａへの配線は、第１の端子６ａと同一の周波数帯域の信号を伝送するために最適化される。
【０１２２】
また、上記のとおり、表示装置本体１ａにおいては、個別装置１１ｅが接続されたときに、第１の端子６ａが第３の端子１６ａと接続されたことを検知することができる。これにより、スイッチ部８の接続状態を切り替えることができる。また、無線ＬＡＮ部９、１９を介して個別装置１１ｅとデジタル信号の入出力を実行することができる。
【０１２３】
このように、個別装置は、用途に合わせて必要な高周波信号を選択的に使用することができる。また、個別装置は、必要な第３の端子だけを用意すればよい。
例えば接続用コネクタと内部基板上の通信モジュールを近い位置に配置すると回路構成が単純になり、回路設計の負担と伝送ロスが低減される。
さらに、第１及び第２の接続部には、デジタル信号用の第２及び第４の端子がないため、ノイズを低減することができる。
【０１２４】
以上、具体例を参照しつつ、本発明の実施形態について説明した。しかし、本発明は、これらの具体例に限定されるものではない。例えば、表示装置本体、個別装置及び表示装置を構成する各要素の具体的な構成に関しては、当業者が公知の範囲から適宜選択することにより本発明を同様に実施し、同様の効果を得ることができる限り、本発明の範囲に包含される。
また、各具体例のいずれか２つ以上の要素を技術的に可能な範囲で組み合わせたものも、本発明の要旨を包含する限り本発明の範囲に含まれる。
【０１２５】
その他、本発明の実施形態として上述した表示装置本体、個別装置及び表示装置を基にして、当業者が適宜設計変更して実施し得る全ての表示装置本体、個別装置及び表示装置も、本発明の要旨を包含する限り、本発明の範囲に属する。
その他、本発明の思想の範疇において、当業者であれば、各種の変更例及び修正例に想到し得るものであり、それら変更例及び修正例についても本発明の範囲に属するものと了解される。
【符号の説明】
【０１２６】
１、１ａ  表示装置本体
２  表示部
３ａ〜３ｈ  第１の接続部
４ａ、４ｂ、１４、１４ａ  高周波回路部
５  ＨＵＢ
６ａ〜６ｐ  第１の端子
７ａ〜７ｄ  第２の端子
８  スイッチ部
９、１９  無線ＬＡＮ部
１０、１２  制御部
１１、１１ａ〜１１ｈ  個別装置
１３ａ〜１３ｈ  第２の接続部
１６ａ〜１６ｂ  第３の端子
１７  第４の端子
１８ａ〜１８ｃ、１０８ａ〜１０８ｃ  アンテナ
２０ａ、２０ｅ  表示装置
１０３ａ〜１０３ｄ  接続部
１０６ａ〜１０６ｄ、１０７ａ〜１０７ｄ  端子
Ｓ１ａ〜Ｓ１ｄ、Ｓ２ａ〜Ｓ２ｄ  スイッチ
【図１】
2011066532.tif 000006
【図２】
2011066532.tif 000007
【図３】
2011066532.tif 000008
【図４】
2011066532.tif 000009
【図５】
2011066532.tif 000010
【図６】
2011066532.tif 000011
【図７】
2011066532.tif 000012
【図８】
2011066532.tif 000013
【図９】
2011066532.tif 000014
【図１０】
2011066532.tif 000015
【図１１】
2011066532.tif 000016
【図１２】
2011066532.tif 000017
【図１３】
2011066532.tif 000018